(57)【要約】  【課題】外観を確保することができるとともに、容易に且つ円滑に安定して開閉することができる収納装置を提供する。  【解決手段】上部に上部開口部を有するケース本体(20)が、外ケース(10)の収納空間にケース本体(20)の下端部を回動中心として開閉可能に配設されている。ケース本体(20)の側面部(20b) には、ケース本体(20)の開閉方向に沿って下向きに形成されたラック部(21)が設けられ、外ケース(10)にはラック部(21)に噛合するピニオン(12)が設けられている。ラック部(21)を補強するリブ(22)がケース本体(20)の側面部(20b) に配設されている。  【選択図】図２
2005145131.tif 000002
【特許請求の範囲】
【請求項１】
上部に上部開口部を有するケース本体(20)と、同ケース本体(20)を収納する収納空間を有する外ケース(10)とを備え、同外ケース(10)の収納空間に、前記ケース本体(20)の下端部を回動中心として前記上部開口部を開閉可能に配設した収納装置であって、
前記ケース本体(20)の外側側壁部(20b) に、同ケース本体(20)の開閉方向に沿って下向きに形成されたラック部(21)を設けるとともに、前記外ケース(10)に、前記ラック部(21)に噛合するピニオン(12)を設け、前記ラック部(21)を補強するリブ(22)を前記外側側壁部(20b) に配設したことを特徴とする収納装置。
【請求項２】
前記リブ(22)が、縦リブ(22a) と横リブ(22b) とから構成され、少なくとも１以上の前記縦リブ(22a) の一端を前記ラック部(21)の上面に連設し、前記縦リブ(22a) の他端を前記横リブ(22b) に連設したことを特徴とする請求項１記載の収納装置。
【請求項３】
前記ケース本体(20)の上部開口部の周辺部にフランジ部(20e) が形成され、同フランジ部(20e) の下面と前記ラック部(21)の上面との間に前記リブ(22)を連設したことを特徴とする請求項１又は２記載の収納装置。
【請求項４】
前記ピニオン(12)がダンパー機能を有してなることを特徴とする請求項１〜３のいずれかに記載の収納装置。
【発明の詳細な説明】
【技術分野】
【０００１】
本発明は、例えば車両の助手席前方に設けられるグローブボックス等の収納装置に係わり、特に、開閉性能を向上させた収納装置に関する。
【背景技術】
【０００２】
従来から、例えば自動車のインストルメントパネルの前面開口部内に、ケース本体の下端部を回動中心としてケース本体の上部開口部を開閉可能に配設したグローブボックスが知られている（例えば、特許文献１参照。）。この特許文献１に記載された自動車のグローブボックス１００は、図５に示すようにインストルメントパネル１０１の前面開口部に水平支軸１０２を介して開閉可能に支承されている。
【０００３】
グローブボックス１００の外側側壁部に、前記水平支軸１０２を中心とする円弧状のラック部１０３が下向きに一体に形成されている。同ラック部１０３に歯車１０４を噛合させ、同歯車１０４がインストルメントパネル１０１に装着した回転ダンパー１０５の回転軸に固着されている。このようなグローブボックス１００の取付構造を備えることによりグローブボックス１００の急激な開口を抑えることができる。
【０００４】
また、この種の取付構造を備えた収納箱の他の一例として、例えば車両用灰皿が知られている（例えば、特許文献２参照。）。この特許文献２に記載された灰皿の取付構造は、図６に示すように、上記特許文献１に記載されたラック部とは異なり、灰皿本体１０６の外側側壁部に水平支軸を中心とする円弧状のラック部１０７が上向きに一体に形成されている。同ラック部１０７が外ケース１０８に装着した図示せぬ回転ダンパーの歯車に噛合されている。
【特許文献１】実公昭６３−４９４００号公報
【特許文献２】特開平１１−２０５３４号公報
【発明の開示】
【発明が解決しようとする課題】
【０００５】
上記特許文献１に記載されたグローブボックス１００の下端部は、既述のように、水平支軸１０２を介してインストルメントパネル１０１の前面開口部に開閉可能に取り付けられている。グローブボックス１００の前部は、その外側側壁部にあって下方に形成されたラック部１０３と、インストルメントパネル１０１に装着した回転ダンパー１０５の歯車１０４とが互いに噛合することによりグローブボックス１００の開閉を支持する構造になっている。
【０００６】
このため、その構造上、前記ラック部１０３に対してグローブボックス１００の自重やグローブボックス１００内に収納した荷物の重量などの荷重が直接作用することとなり、前記ラック部１０３に、たわみ、変形や破損などが発生するという問題があった。前記ラック部１０３に、たわみ、変形や破損などを生じると、ラック部１０３の噛合面が偏ってラック部１０３と歯車１０４との噛み合い代が変動してしまい、グローブボックス１０１の開閉が不安定になるという問題があった。
【０００７】
しかも、前記ラック部１０３と歯車１０４との噛み合い代が変動すると、長期間の使用により、前記ダンパー１０５の機能を低下させたり、或いは前記ラック部１０３の噛合面に磨耗や擦過傷などを発生する。その磨耗や擦過傷などにより、前記ラック部１０３と歯車１０４との間にガタツキが増大するようになる。このため、ダンパー１０５の作動がばらつき、グローブボックス１０１の開閉動作を悪化させるという問題があった。そのガタツキが増大すると、グローブボックス１０１の開閉性能を著しく低下させる原因につながるばかりでなく、グローブボックス１０１の耐用期間を短くするという諸々の課題があった。
【０００８】
そこで、前記ラック部１０３の肉厚を厚くすることにより、その強度を高めることが一般的に考えられる。しかしながら、このようにすると、ラック部１０３及びグローブボックス１０１の肉厚を加えた総肉厚が局部的に大きくなり、その肉厚部における凹凸状の変化量が大きくなる。このため、ラック部１０３とグローブボックス１０１とを一体成形により成形した場合に、成形後の後収縮により、厚肉としたラック部１０３における肉厚部の収縮が均一とならず、厚肉部と薄肉部との間の収縮量の違いによって、ひけ、曲がりや変形などが局部的に発生しやすくなる。このため、ラック部１０３の寸法精度を維持することができないという問題があった。その結果、ラック部１０３の肉厚を厚くすることはできなかった。
【０００９】
一方、上記特許文献２に記載された灰皿は、既述のように、灰皿本体１０６の外側側壁部にラック部１０７が上方に形成された構造である。従って、ラック部１０７に灰皿本体１０６の自重が直接作用することはない。しかしながら、灰皿本体１０６を開いて灰皿本体１０６を前面から見たとき、灰皿本体１０６と外ケース１０８との間にラック部１０７の歯面が現れる。このラック部１０７は、目立ちやすく美観を向上させるための妨げになるという問題があった。つまり、灰皿本体１０６を開いたとき、ラック部１０７が灰皿本体１０６の上方から視界に入り、見栄えを損ねて商品価値を低下させるという問題があった。
【００１０】
本発明は、上記従来の課題を解消すべくなされたものであり、外観を確保することができるとともに、容易に且つ円滑に安定して開閉することができる収納装置を提供することを目的としている。
【課題を解決するための手段】
【００１１】
本件請求項１に係る発明は、上部に上部開口部を有するケース本体と、同ケース本体を収納する収納空間を有する外ケースとを備え、同外ケースの収納空間に、前記ケース本体の下端部を回動中心として前記上部開口部を開閉可能に配設した収納装置であって、前記ケース本体の外側側壁部に、同ケース本体の開閉方向に沿って下向きに形成されたラック部を設けるとともに、前記外ケースに、前記ラック部に噛合するピニオンを設け、前記ラック部を補強するリブを前記外側側壁部に配設したことを特徴とする収納装置にある。
【００１２】
請求項２に係る発明は、上記請求項１記載の発明にあって、前記リブが、縦リブと横リブとから構成され、少なくとも１以上の前記縦リブの一端を前記ラック部の上面に連設し、前記縦リブの他端を前記横リブに連設したことを特徴としている。
【００１３】
請求項３に係る発明は、上記請求項１又は２記載の発明にあって、前記ケース本体の上部開口部の周辺部にフランジ部が形成され、同フランジ部の下面と前記ラック部の上面との間に前記リブを連設したことを特徴としている。
【００１４】
請求項４に係る発明は、上記請求項１〜３のいずれかに記載の発明にあって、前記ピニオンがダンパー機能を有していることを特徴としている。
【発明の効果】
【００１５】
本発明の収納装置としては、上部に上部開口部を有するケース本体の下端部を回動中心として、外ケースの収納空間にケース本体の上部開口部を開閉方向に移動する各種の収納箱、例えば自動車等の車両における灰皿、コンソールボックス及びその他の小物入れに使用することができるが、特に自動車のグローブボックスに好適に使用することができる。
【００１６】
本発明の収納装置は、前記ケース本体の下端部に配設された軸部を回動中心として開閉方向に回動するように支持するとともに、前記ケース本体の外側側壁部にあって開閉方向に沿って下向きに形成されたラック部に、前記外ケースに設けたピニオンを噛合することにより前記ケース本体の前部を外ケースに支持している。
【００１７】
この種の収納装置では、前記ラック部に前記ケース本体の自重や前記ケース本体内に収納した荷物の重量などの荷重が直接作用するのが一般的である。従来の収納装置では、前記ラック部に、たわみ、変形や破損などが発生しやすくなる。このため、前記ラック部の噛合面が偏って前記ピニオンとの噛み合い代が変動してしまうこととなり、前記ケース本体の開閉が不安定になっていた。
【００１８】
これに対して、本発明の収納装置は、前記ラック部を補強するリブを前記外側側壁部に配設することができる。このため、前記ラック部に前記ケース本体の自重やケース本体内に収納した荷物の重量などの過大な荷重を直接作用させる構造を排除することができる。その結果、前記ラック部のたわみ、変形や破損などを防止することができる。更には、前記ラック部とピニオンとの噛み合い代を一定に確保することができる。
【００１９】
前記リブの存在により、少なくとも必要最小限の肉厚で狭小な歯幅をもつラック部であっても、前記ケース本体を前記外ケースに安定して確実に支持することができるようになり、前記ケース本体に対して格別な支持手段を必要とすることなく、前記ケース本体を容易に且つ円滑に開閉することができる。従来知られている手段を効果的に組み合わせることにより簡略化した構造で、前記ケース本体の過大な荷重に対して前記ラック部の強度及び剛性を十分に確保することができるようになり、高品質の収納装置が得られる。しかも、ラック部の肉厚を必要最小限の肉厚に成形することができるため、ケース本体とラック部とを一体成形する上においても、たわみや変形などの発生を防止することができる。
【００２０】
このように、前記リブの存在により前記ケース本体を前記外ケースに安定して確実に支持することができるため、前記ラック部と前記ピニオンとの間の内部磨耗や擦過傷などによるガタツキを防止することができる。初期設定された良好な歯当たりを長期間にわたり確保することができるようになり、振動や騒音を発生することなく、前記ラック部と前記ピニオンとの耐久性を大幅に向上することができるようになる。
【００２１】
前記リブの好適な一例として、リブを縦リブと横リブとから構成することができる。少なくとも１以上の縦リブの一端を前記ラック部の上面に連設し、前記縦リブの他端を横リブに連設することにより、前記ラック部と各リブとを交差状態で結合することができる。前記ケース本体と前記外ケースとの間の狭小な配置空間に格子状のリブを形成することができ、前記ラック部の補強構造が得られる。これにより、前記ケース本体の強度及び剛性を十分に確保することができ、前記ラック部の変形や破損などを防止することができる。
【００２２】
前記リブの好適な他の一例として、前記ケース本体の上部開口部の周辺部に形成されたフランジ部の下面と前記ラック部の上面との間に前記リブを連設することができる。このリブの形態としては、前記フランジ部の下面と前記ラック部の上面との間の配置空間の大きさに応じて、例えば少なくとも１以上の縦リブをケース本体の回動支点を中心として放射状に延在した形態、或いは少なくとも１以上の縦リブと横リブとを交差状態で結合した複数の格子部を有する形態をもって形成することができる。
【００２３】
このように、前記リブに対する設計の自由度が大きくなるため、前記ラック部及び前記リブを前記ケース本体の造形ラインに融和してスッキリとした外観とすることが可能となる。前記フランジ部の下面と前記ラック部の上面との間の配置空間は、前記フランジ部により隠蔽することができるようになり、前記ケース本体の外側側壁部を視覚に入りにくくすることができる。これにより、前記ケース本体の全開状態でも、その側面には目障りなラック部、リブやピニオンが表出せず、外観上の見栄えもよくなり、収納装置の商品価値を高めることができる。
【００２４】
本発明の収納装置にあっては、前記ピニオンにダンパー機能を備えることができる。この典型的な構造例として、例えば前記外ケースに配設された回転ダンパーの回転軸に前記ピニオンを固着し、前記ラック部に前記ピニオンを噛合させることができる。
【００２５】
前記ケース本体の軸部を回動中心として開口側に回動するに従い、ケース本体の自重やケース本体内に収容した荷物の重量により開口側に向けて勢いよく回動するのを防止することができる。なお、前記回転ダンパーとしては、例えば油、空気又は窒素ガスなどの圧縮性流体を利用したもの、ゴムやバネなどの弾性体を利用した各種の回転ダンパーを使用することができる。
【００２６】
また、本発明にあっては、前記回転ダンパーに代えて、正逆回転モータの回転軸に前記ピニオンを固着することができ、同ピニオンを前記ラック部に噛合させることができる。前記正逆回転モータにより前記ケース本体を開閉方向に回動させ、自動的に開閉することができる。
【発明を実施するための最良の形態】
【００２７】
以下、本発明の好適な実施形態を添付図面に基づいて具体的に説明する。
【実施例１】
【００２８】
図１及び図２は本発明の代表的な第１の実施例を示している。図１は同収納装置を構成する部品の分離した状態を模式的に示す分解斜視図であり、図２は同収納装置の閉鎖時の状態を示す要部側面図である。
【００２９】
図２において、符号１は、例えば自動車の車室の前部座席に対向して配設されたインストルメントパネルを示している。同インストルメントパネル１には車室に開口する収納空間２が形成されている。同収納空間２の後部には、図１に示すように前面を開口部とした略箱形状の外ケース１０が配設されている。同外ケース１０は、インストルメントパネル１にブラケットなどを介してボルト締めにより締付固定される。図２に示すように、前記外ケース１０の開口部（収納空間）内にケース本体であるグローブボックス２０が収納されている。
【００３０】
なお、図示例による収納装置は、その左右両側ともに同一構造からなる。このため、本実施例では、乗員側からみて、収納装置の左部（図１の手前）のみを説明する。また、収納装置の右部に関しては、前記左部と実質的に同一部材には同一の部材名と符号を付している。また、図２は図１に示す外ケース１０及びグローブボックス２０とは異なる例を示している。従って、本発明は図示例に限定されるものではない。
【００３１】
このグローブボックス２０は、図１及び図２に示すように、上面を開口部とした略箱形状であり、インストルメントパネル１の開口部を閉塞する前面部２０ａ、両側左右一対の略扇形形状の側面部（外側側壁部）２０ｂ，２０ｂ、後側の矩形状の後面部２０ｃ及び底部を閉塞する底面部２０ｄにより構成されている。グローブボックス２０の後側下端部は、図２に示すように、前記外ケース１０の左右の壁部１０ｂに突出した軸部１１，１１に開閉方向に回動自在に支承されている。なお、前記軸部１１をグローブボックス２０の下端部に突設することもできる。この場合は、前記外ケース１０の対応する部位に前記軸部１１の軸受部が形成される。
【００３２】
前記グローブボックス２０の両側上部の側面部２０ｂ，２０ｂには、グローブボックス２０の全閉位置から全開位置にわたり前記軸部１１を中心とする円弧状のラック部２１が下向きに形成されている。このラック部２１に噛合するピニオン１２が前記外ケース１０に回転可能に取着されている。図示例では、前記外ケース１０の左壁部１０ｂに回転ダンパー１３が取着されており、同回転ダンパー１３の回転軸に前記ピニオン１２が取着されている。
【００３３】
なお、この第１の実施例では、外ケース１０の左壁部１０ｂにピニオン１２を有する回転ダンパー１３を備えており、回転ダンパー１３の回転軸を介して片側のラック部２１にピニオン１２を噛合させているが、両側一対のラック部２１に回転ダンパー１３の回転軸を介してピニオン１２を噛合させることができることは勿論である。
【００３４】
この第１の実施例にあっては、グローブボックス２０が前記軸部１１を回動中心として乗員側に向けて回動するように支持されている。更に、前記ラック部２１に前記ピニオン１２を噛合させることにより、グローブボックス２０の前部を外ケース１０に支持することができ、グローブボックス２０を開閉方向に移動することができる。グローブボックス２０は、図示せぬロック装置を解除することにより前記軸部１１を中心として乗員側に向けて回動する。
【００３５】
このとき、グローブボックス２０の自重やグローブボックス２０に収納した荷物の重量により乗員側に向けて勢いよく回動するのを防止するために、回転ダンパー１３によりグローブボックス２０の回動速度を減速している。つまり、グローブボックス２０が前記軸部１１を回動中心として下方に回動するに従い、回転ダンパー１３のピニオン１２が、ラック部２１との噛み合いで回転される。グローブボックス２０が前記軸部１１を回動中心として前方すなわち開口側に回動するに従い、その動きに制動を付与することができる。これにより、グローブボックス２０をゆっくりと回動させ、グローブボックス２０の上部開口部を全開状態にすることができる。
【００３６】
なお、図示例による回転ダンパー１３としては、油、空気又は窒素ガスなどの圧縮性流体を利用した回転ダンパー１３を使用しているが、前記グローブボックス２０の急激な開放を規制するものであればよく、前記圧縮性流体を利用した回転ダンパー１３に代えて、例えばゴムやバネなどの弾性体を利用した各種の回転ダンパーを使用することができる。
【００３７】
本発明の主要な特徴部とするところは、前記ラック部２１を補強するリブ２２を、ラック部２１の上面とグローブボックス２０の側面部２０ｂとに配設したことにある。図示例によるリブ２２は、都合６本の矩形板状の縦リブ２２ａ，…，２２ａからなる。この縦リブ２２ａは、図２に示すように前記軸部１１を中心としてグローブボックス２０の側面部２０ｂに放射状に延出されている。
【００３８】
前記縦リブ２２ａは、グローブボックス２０の上部開口部の周囲に突設したフランジ部２０ｅの下面と前記ラック部２１の上面とグローブボックス２０の側面部２０ｂとに連結して固着一体化されている。この縦リブ２２ａの肉厚は、前記フランジ部２０ｅ及びラック部２１よりも薄肉に形成することができる。この縦リブ２２ａを備えることによりラック部２１の肉厚を必要最小限の肉厚に成形することができるため、グローブボックス２０の本体にラック部２１を一体成形する場合でも、ラック部２１にたわみや変形等の発生が防止できる。
【００３９】
この縦リブ２２ａの存在により、前記フランジ部２０ｅを必要最小限の肉厚に形成することができるとともに、フランジ部２０ｅを左右幅方向に小さく設定することができる。フランジ部２０ｅの構造及び形態を自由に設定することができ、予め決められたインストルメントパネル１の許容空間にグローブボックス２０の容量を十分に確保することができる。しかも、前記縦リブ２２ａがラック部２１側からフランジ部２０ｅ側に向けて末拡がり状に延在しているため、グローブボックス２０の開閉時における姿勢バランスを良好に得ることができるとともに、グローブボックス２０の剛性を高めることができる。
【００４０】
前記ラック部２１の上面に縦リブ２２ａを連設すれば、グローブボックス２０の重さやグローブボックス２０内に収納した荷物に対するたわみ、変形や破損などを排除して、ラック部２１に対して十分な強度を得ることができる。このため、グローブボックス２０と外ケース１０との間の狭小な空間に、ラック部２１の補強構造がフランジ部２０ｅと縦リブ２２ａのような構造及び形態をもつ従来知られている手段を効果的に組み合わせることにより簡略化した構造で得られる。グローブボックス２０に格別な支持手段を設けることなく、グローブボックス２０の荷重に対してラック部２１の強度及び剛性を十分に確保することができるようになり、高品質の収納装置が得られる。
【００４１】
前記リブ２２を備えることにより、前記ラック部２１にグローブボックス２０の自重やグローブボックス２０内に収納した荷物の重量などの過大な荷重を直接作用させることを防止することができる。これにより、前記ラック部２１とピニオン１２との噛み合い代を一定に確保することができる。必要最小限の肉厚と狭小な歯幅をもつラック部２１であっても、グローブボックス２０を外ケース１０に安定して確実に支持することができるとともに、インストルメントパネル１に対してグローブボックス２０を容易に且つ円滑に開閉することができる。
【００４２】
また、前記リブ２２の存在により、グローブボックス２０を外ケース１０にしっかりと支持することができるため、前記ラック部２１とピニオン１２との間の内部磨耗や擦過傷などによるガタツキを防止することができる。初期設定された良好な歯当たりを長期間にわたり確保することができ、振動や騒音を発生することなく、ラック部２１と回転タンパー１３などの耐久性を向上することができる。
【００４３】
前記外ケース１０には、図２に示すように、上壁部１０ａ、左右の壁部１０ｂ，１０ｂ及び後壁部１０ｃの角隅部に段部をもつ階段形状をなす欠落部１０ｄが左右、上下及び前後に貫通して穿設されている。前記左右の壁部１０ｂ，１０ｂの下端には、それぞれ前記欠落部１０ｄに連通して下方に延びる略Ｕ字状の嵌着開口１０ｅが形成されている。同嵌着開口１０ｅは、回転ダンパー１３のピニオン１２を外ケース１０内に臨ませるためのダンパー取付空間部とされており、組立ての容易性及びコスト低減などが実現できる。前記欠落部１０ｄはグローブボックス２０のラック部２１と回転ダンパー１３のピニオン１２とを噛合するための噛合空間部となる。
【００４４】
図示例による外ケース１０の存在により、回転ダンパー１３の取付姿勢を安定して確実に保持する簡単な取付構造が得られ、回転ダンパー１３を外ケース１０に安定に且つ確実に嵌入してビス等により締込固定することができる。また、回転ダンパー１３をインストルメントパネル１の収納空間２内に配設することができるため、グローブボックス２０の収納空間を確保することができる。なお、前記欠落部１０ｄの形態としては、図示例に限定されるものではなく、例えば外ケース１０の左右の壁部１０ｂと上壁部１０ａとの稜線部（角隅部）に欠落部１０ｄを左右方向に貫通して形成することができる。
【００４５】
本発明の収納装置では、回転ダンパー１３の回転軸にピニオン１２を固着し、ラック部２１にピニオン１２を噛合させていたが、本発明はこれに限定されるものではなく、例えば回転ダンパー１３に代えて、図示せぬ正逆回転モータの回転軸に前記ピニオン１２を固着することができる。図示せぬ開閉スイッチを操作することにより、前記正逆回転モータを正逆方向に駆動させる。この正逆回転モータによりラック部２１にピニオン１２を噛合させながら、グローブボックス２０を開閉方向に回動させ、自動的に開閉することができる。
【００４６】
前記外ケース１０の前部及び後部に図示せぬリミットスイッチを取り付け、同リミットスイッチがグローブボックス２０の接近又は接触を感知した状態で前記正逆回転モータの駆動を停止するように構成することができる。この変形例にあっても、上記第１の実施例と同様にグローブボックス２０を安定して下方に回動させ、その上部開口部を全開状態に維持することができる。
【実施例２】
【００４７】
次に、図３を参照しながら、本発明に係る収納装置に好適に適用されるリブ２２の他の構造例を説明する。図３は同収納装置の第２の実施例を示している。
【００４８】
同図において、上記第１の実施例と異なるところは、ラック部２１をグローブボックス２０の両側上部の側面部２０ｂ，２０ｂに設け、両側一対のラック部２１，２１に図示せぬ回転ダンパーの回転軸を介してピニオン１２を噛合させた点にある。他の構成は、縦リブ２２ａの配置位置及び設置数を除いて上記第１の実施例と異なるところはなく、同様の構造からなる。このため、この第２の実施例では、上記第１の実施例と実質的に同じ部材には同一の部材名と符号を付している。従って、これらの部材に関する詳細な説明は省略する。
【００４９】
グローブボックス２０の両側上部の側壁部から外方に向けて張り出した円弧状の外郭形態をもつラック部２１がグローブボックス２０の全閉位置から全開位置にわたり延設されている。ラック部２１は軸部１１（図２）を中心とする円周上にあって円弧状に形成されている。
【００５０】
この第２の実施例にあっても、上記第１の実施例と同様の作用効果が得られるが、図示せぬ外ケースに対してグローブボックス２０を、更に一層安定して確実に支持することができるようになり、グローブボックス２０の開閉を容易に且つ円滑に行うことができる。
【実施例３】
【００５１】
図４は本発明に係る収納装置の第３の実施例を示している。同図において、上記第１の実施例と異なるところは、縦リブ２２ａをグローブボックス２０のフランジ部２０ｅに連結する構成を排除して、リブ２２を格子状に形成した点にある。なお、図４において上記各実施例と実質的に同じ部材には同一の部材名と符号を付しているため、これらの部材に関する詳細な説明は省略する。また、図示例によると、ラック部２１をグローブボックス２０の片側上部の側面部２０ｂに設けているが、ラック部２１をグローブボックス２０の両側上部の側面部２０ｂ，２０ｂにそれぞれ設けることができることは勿論である。
【００５２】
図示例によるラック部２１は、軸部１１（図２）を中心とする円周上にあって、グローブボックス２０の全閉位置から全開位置にわたり円弧状に延設されている。ラック部２１の補強構造として、グローブボックス２０の側面部２０ｂに、グローブボックス２０の回動支点を中心としてラック部２１の上部円弧面から上方に向けて放射状に延設された略長方形板状をなす縦リブ２２ａと、一方向に沿って互いに平行に延設された略長方形板状をなす横リブ２２ｂとから構成することができる。
【００５３】
前記縦リブ２２ａは、都合２本の縦リブ２２ａからなる。一方の横リブ２２ｂは、軸部１１（図２）を中心とする円周上にあってラック部２１の外郭形態と同一の曲率をもつ円弧面を有している。前記縦リブ２２ａの上端は、前記横リブ２２ｂの下部円弧面に連結して固着一体化されている。前記縦リブ２２ａの下端は、ラック部２１の上部円弧面に連結して固着一体化されている。
【００５４】
前記グローブボックス２０の格子状のリブ２２は、格別な固着構造を露呈することなく、固着面積を確保することができる。前記リブ２２を必要最小限の肉厚に形成することができるとともに、リブ２２の構造及び形態を自由に設定することができる。このリブ２２の他の形態としては、グローブボックス２０の側面部２０ｂに立設するように縦横に碁盤の目のようにリブ２２の格子部を形成することができる。
【００５５】
この第３の実施例にあっても、外ケース１０とグローブボックス２０との間の狭小な配置空間に格子状のリブ２２を形成することができ、ラック部２１の補強構造が合理的に得られる。この補強構造により、ラック部２１の変形や破損などを防止することができる。しかも、グローブボックス２０の強度及び剛性を十分に確保することができる。
【００５６】
また、グローブボックス２０の大きさや形態に応じてリブ２２の形態、大きさ（肉厚）、設置数、配置位置などを適宜に設定することができ、グローブボックス２０の側面部２０ｂに対するラック部２１の保持力が強固に得られる。リブ２２に対する設計の自由度があり、ラック部２１及びリブ２２をグローブボックス２０の造形ラインに融和した外観とすることができる。
【００５７】
また、前記フランジ部２０ｅの下面とラック部２１の上面との間の配置空間は、前記フランジ部２０ｅによって隠蔽することができる。このため、グローブボックス２０の側面部２０ｂが視覚に入りにくく、グローブボックス２０の全開状態でも、目障りなラック部２１、リブ２２やピニオン１２も気にならず、良好な外観意匠の収納装置が得られ、収納装置の商品価値を高めることができる。
【００５８】
以上は本発明の好適な実施例や変形例を例示したものであり、上述のリブ２２はラック部２１の上面及びグローブボックス２０の側面部２０ｂに一体成形したり、或いは適当な固着手段により固着することにより配設していればよい。このため、他の構成部品の形態、大きさなど他の要因との関係で、前記リブ２２の形態、大きさ、設置数、配置位置などを適宜に設定することにより本発明の目的を充分に達成することができる。従って、本発明は上記各実施例や変形例に限定されないことは当然であり、各請求項に記載した範囲内で様々に設計変更が可能である。
【産業上の利用可能性】
【００５９】
本発明の収納装置は、上部に上部開口部を有するケース本体の下端部を回動中心として、外ケースの収納空間にケース本体の上部開口部を開閉方向に移動する各種の収納箱に使用することができ、例えば自動車等の車両における灰皿、グローブボックス、コンソールボックスその他の一般的な小物入れに使用することができる。
【図面の簡単な説明】
【００６０】
【図１】本発明の収納装置を構成する部品の分離した状態を模式的に示す分解斜視図である。（第１実施例）
【図２】同収納装置の閉鎖時の状態を示す要部側面図である。（第１実施例）
【図３】同収納装置の他の構造例を模式的に示す斜視図である。（第２実施例）
【図４】同収納装置の更に他の構造例を模式的に示す斜視図である。（第３実施例）
【図５】従来の収納装置を示す断面説明図である。
【図６】従来の他の収納装置を示す斜視図である。
【符号の説明】
【００６１】
１          インストルメントパネル
２          収納空間
１０        外ケース
１０ａ      上壁部
１０ｂ      左右壁部
１０ｃ      後壁部
１０ｄ      欠落部
１０ｅ      嵌着開口
１１        軸部
１２        ピニオン
１３        回転ダンパー
２０        グローブボックス
２０ａ      前面部
２０ｂ      左右側面部
２０ｃ      後面部
２０ｄ      底面部
２０ｅ      フランジ部
２１        ラック部
２２        リブ
２２ａ      縦リブ
２２ｂ      横リブ
【図１】
2005145131.tif 000003
【図２】
2005145131.tif 000004
【図３】
2005145131.tif 000005
【図４】
2005145131.tif 000006
【図５】
2005145131.tif 000007
【図６】
2005145131.tif 000008